(57)【要約】【課題】二重床の骨組構造体を容易に構築することができる架台ユニットおよびその設置方法を提供し、さらには、容易に構築することができる二重床の骨組構造体を提供すること。【解決手段】床スラブＳ上に構築される二重床の骨組構造体を構成する架台ユニット１を、二本の梁材２０，２０と、この梁材２０，２０を支持する二つの脚フレーム１０，１０とで構成する。また、脚フレーム１０は、床スラブＳ上に立設される一対の脚部１０Ａ，１０Ａと、この一対の脚部１０Ａ，１０Ａを連結する連結部１０Ｂとを有する。【選択図】            図２
2004278185.tif 000002
【特許請求の範囲】
【請求項１】
床スラブ上に構築される二重床の骨組構造体を構成する架台ユニットであって、
二本の梁材と、
当該両梁材を支持する二つの脚フレームとを備え、
当該各脚フレームは、前記床スラブ上に立設される一対の脚部と、当該一対の脚部を連結する連結部とを有することを特徴とする架台ユニット。
【請求項２】
前記両脚フレームの間に配置され、前記両梁材の中間部を支持する一又は複数の中間脚フレームをさらに備え、
当該中間脚フレームは、前記床スラブ上に立設される一対の脚部と、当該一対の脚部を連結する連結部とを有していることを特徴とする請求項１に記載の架台ユニット。
【請求項３】
前記各脚フレームの連結部に、前記床スラブ上に立設される一又は複数の補助脚部が設けられていることを特徴とする請求項１又は請求項２に記載の架台ユニット。
【請求項４】
前記各脚フレームの連結部は、前記脚部とは別体に形成されるか、あるいは、連結部の中間が補助連結部材で形成されることを特徴とする請求項１乃至請求項３のいずれか一項に記載の架台ユニット。
【請求項５】
前記各脚フレームの各脚部には、その上端に前記梁材の長手方向に張り出す支持部が形成されており、
当該支持部に前記梁材が支持されていることを特徴とする請求項１乃至請求項４のいずれか一項に記載の架台ユニット。
【請求項６】
前記支持部は、前記脚部の両側に張り出しており、その一方の張出量が他方の張出量よりも大きいことを特徴とする請求項５に記載の架台ユニット。
【請求項７】
前記各梁材は、複数の前記脚フレームのうち、少なくとも一つの前記脚フレームの前記支持部に複数の接合具により固定されていることを特徴とする請求項５又は請求項６に記載の架台ユニット。
【請求項８】
前記連結部および前記脚部の少なくとも一方に開口が設けられていることを特徴とする請求項１乃至請求項７のいずれか一項に記載の架台ユニット。
【請求項９】
前記連結部の上端部および下端部の少なくとも一方にリブが形成されていることを特徴とする請求項１乃至請求項８のいずれか一項に記載の架台ユニット。
【請求項１０】
前記両梁材の少なくとも一方の側方に配置される増設用の梁材と、
当該増設用の梁材を支持する複数の増設用の脚フレームとをさらに備え、
当該増設用の脚フレームは、前記床スラブ上に立設される脚部と、当該脚部から前記梁材に向かって張り出す張出部とを有し、
当該張出部の先端が前記梁材または前記脚フレームに固定されていることを特徴とする請求項１乃至請求項９のいずれか一項に記載の架台ユニット。
【請求項１１】
前記各脚フレームは、アルミニウム合金製の鋳造品からなることを特徴とする請求項１乃至請求項１０のいずれか一項に記載の架台ユニット。
【請求項１２】
前記各梁材は、アルミニウム合金製の押出形材からなることを特徴とする請求項１乃至請求項１１のいずれか一項に記載の架台ユニット。
【請求項１３】
請求項１乃至請求項１２のいずれか一項に記載の架台ユニットを前記梁材の長手方向に複数連設して形成される二重床の骨組構造体であって、
隣り合う架台ユニットの一方の前記両梁材の端部は、他方の前記両梁材の端部を支持する前記脚フレームに支持されており、かつ、一方の前記両梁材の端部と他方の前記両梁材の端部とが隣接していることを特徴とする二重床の骨組構造体。
【請求項１４】
請求項６に記載の架台ユニットを前記梁材の長手方向に複数連設して形成される二重床の骨組構造体であって、
複数の前記架台ユニットのうち、壁際に配置された前記架台ユニットの壁側に位置する脚フレームの支持部は、その張出量が小さい側を前記壁側に向けて設置されることを特徴とする二重床の骨組構造体。
【請求項１５】
平行に配置された一対の梁材を脚部にレベル調節手段を有する門型の三つ以上の脚フレームで支持してなる二重床の架台ユニットを床スラブ上に設置する方法であって、
前記三つ以上の脚フレームのうち、前記梁材の両端に位置する脚フレームを床スラブ上に立設し、当該両脚フレーム間に架設した一対の梁材の水平状態を前記両脚フレームのレベル調節手段により調節したうえで、当該両梁材の中間部分において、残りの前記脚フレームを前記床スラブ上に立設することを特徴とする架台ユニットの設置方法。
【発明の詳細な説明】
【０００１】
【発明の属する技術分野】
本発明は、二重床の骨組構造体を構成するための架台ユニット及びこの架台ユニットの設置方法に関し、さらには、この架台ユニットを連設して構成される二重床の骨組構造体に関する。
【０００２】
【従来の技術】
従来、二重床の骨組構造体を構成するための架台として、四つの脚部を有するものが知られている（例えば、特許文献１参照）。
【０００３】
この架台を利用した二重床の骨組構造体は、図１９に示すように、床スラブ上に複数の架台１１０を直線状に配置してなる架台列を設けたうえで、架台列方向に隣り合う架台１１０，１１０間に梁材１２０，１２０を架設することで構築される。また、二重床は、複数の骨組構造体１００を並列に配置し、隣り合う骨組構造体１００，１００間に複数の床パネル１３０を敷設することで構築される。
【０００４】
このような二重床は、膨大な数の通信機械や電算機などが収容される室内に構築されることが多い。すなわち、骨組構造体１００上（架台列上）に通信機器等の重量装置類Ｄを搭載するとともに、隣り合う骨組構造体１００，１００間に敷設された複数の床パネル１３０からなる通路を点検用の通路とするものである。
【０００５】
ところで、二重床の床面は、水平面とするのが一般的であるため、二重床を構築する際には、その骨組構造体１００を水平に設置する必要がある。すなわち、床スラブ上に配置される複数の架台１１０のそれぞれを水平に設置するとともに、隣り合う架台１１０，１１０の上面の高さを揃える必要がある。
【０００６】
【特許文献１】
実公平５−４３１５４号公報（全頁）
【０００７】
【発明が解決しようとする課題】
しかしながら、四つの脚部を有する架台１１０を水平に設置する作業は、非常に煩わしいものであった。すなわち、一つの架台１１０について、四箇所の高さ調節を要し、さらに、各架台１１０の上面の水平を保ちつつ、隣り合う架台１１０，１１０の上面の高さを揃えなければならない。すなわち、隣り合う一対の架台１１０，１００と、これらの間に架設される二本の梁材１２０，１２０からなる架台ユニットを骨組構造体１００を構築するための最小単位として考えると、この架台ユニットを水平に設置するには、八箇所も高さ調節をしなければならない。
【０００８】
そこで、本発明は、二重床の骨組構造体を容易に構築することができる架台ユニットおよびその設置方法を提供することを課題とし、さらには、容易に構築することができる二重床の骨組構造体を提供することを課題とする。
【０００９】
【課題を解決するための手段】
このような課題を解決するために、請求項１に記載の発明は、床スラブ上に構築される二重床の骨組構造体を構成する架台ユニットであって、二本の梁材と、当該両梁材を支持する二つの脚フレームとを備え、当該各脚フレームは、前記床スラブ上に立設される一対の脚部と、当該一対の脚部を連結する連結部とを有することを特徴とする。
【００１０】
かかる架台ユニットによると、その設置作業が非常に効率のよいものとなる。すなわち、従来の架台ユニットでは、これを水平に設置するために、八箇所の高さ調節を要していたのに対し、本発明の架台ユニットは、各脚フレームについて二箇所ずつ、合わせて四箇所の高さ調節をするだけでこれを水平に設置することができる。なお、脚フレームにおいて、脚部と連結部とは、一体に成形されたものであっても、別々に成形されたものであってもよい。また、脚フレームの大きさが従来のものの約半分になるため、個々の脚フレームの重量も低減し、その結果、施工作業が容易になる。
【００１１】
請求項２に記載の発明は、請求項１に記載の架台ユニットであって、前記両脚フレームの間に配置され、前記両梁材の中間部を支持する一又は複数の中間脚フレームをさらに備え、当該中間脚フレームは、前記床スラブ上に立設される一対の脚部と、当該一対の脚部を連結する連結部とを有していることを特徴とする。
【００１２】
かかる架台ユニットは、三つ以上の脚フレームで二つの梁材を支持するものであり、架台ユニットに作用する荷重が大きい場合に、特に好適である。また、脚フレームおよび中間脚フレームは、おおよそ門型を呈し、梁材の長手方向の長さが短いことから、その配置の自由度が非常に高い。すなわち、多くの中間脚フレームを配置する場合であっても、隣にある中間脚フレームに干渉することがない。このため、特定位置に通常以上の重量物を支持させる場合には、その位置に中間脚フレームを追加するだけで容易に対応することが可能となる。また、梁材は、単純二点支持の梁とならず、三点以上の箇所において支持される連続梁構造となり、梁材の強度増加となる。
【００１３】
請求項３に記載の発明は、請求項１又は請求項２に記載の架台ユニットであって、前記各脚フレームの連結部に、前記床スラブ上に立設される一又は複数の補助脚部が設けられていることを特徴とする。
【００１４】
かかる架台ユニットは、脚フレームあるいは中間脚フレームに三つの脚部を設けたものである。すなわち、脚フレームを正面から見ると、略ｍ字状を呈することとなる。このようにすると、脚フレームの床スラブへの取付強度が向上するとともに、架台ユニット全体の強度も向上することとなる。また、このような脚フレームは、その脚部の間隔を広げたい場合や、梁部材の本数を二本から三本に増やしたい場合に有効である。
【００１５】
請求項４に記載の発明は、請求項１乃至請求項３のいずれか一項に記載の架台ユニットであって、前記各脚フレームの連結部は、前記脚部とは別体に形成されるか、あるいは、連結部の中間が補助連結部材で形成されることを特徴とする。
【００１６】
かかる架台ユニットによると、連結部または連結部の中間に配設される補助連結部が脚部と別体に形成されるため、これらの寸法を変更するだけで、脚部間隔を容易に変更することが可能となる。また、脚フレームを分割して形成することができるので、その製造も容易になる。
【００１７】
請求項５に記載の発明は、請求項１乃至請求項４のいずれか一項に記載の架台ユニットであって、前記各脚フレームの各脚部には、その上端に前記梁材の長手方向に張り出す支持部が形成されており、当該支持部に前記梁材が支持されていることを特徴とする。
【００１８】
かかる架台ユニットは、脚フレームに設けられた支持部に梁材を取り付けるものであるが、この支持部が梁材の長手方向に張り出して形成されていることから、梁材を安定して支持することができる。例えば、ボルト等の接合具でこれらを固定する場合に、複数の接合具を使用することが可能となり、その結果、架台ユニット全体の剛性が格段に向上することとなる。
また、梁材が支持部上に配置されるので、重量装置類は全て梁材に支持される。このため、架台上面に重量装置類固定のための加工を要した従来の架台とは異なり、脚フレーム（従来の架台）上面に重量装置類固定のための加工は不要である。
さらに、重量の大きい重量装置類を設置しようとする場合であって、梁材の補強のための脚フレーム（従来の架台）を増設するときでも、梁材両端用の脚フレームにそのまま中間部用の脚フレームを梁材の下部に増設すれば間に合い、その際、梁材への加工は不要である。このため、重量装置類の置き換えや、設置レイアウトの変更も他の箇所の重量装置類を移動させずに行うことができ、容易である。
【００１９】
請求項６に記載の発明は、請求項５に記載の架台ユニットであって、前記支持部は、前記脚部の両側に張り出しており、その一方の張出量が他方の張出量よりも大きいことを特徴とする。
【００２０】
かかる架台ユニットによると、この架台ユニットを壁際に設置する際に、その対応が容易になる。すなわち、壁際に位置する架台ユニットにおいて、最も壁に近い位置にある脚フレームを、その支持部の張出量が小さい方を壁に向けて配置すると、架台ユニットを壁面に沿ってきっちりと設置することができる。
【００２１】
請求項７に記載の発明は、請求項５又は請求項６に記載の架台ユニットであって、前記各梁材は、複数の前記脚フレームのうち、少なくとも一つの前記脚フレームの前記支持部に複数の接合具により固定されていることを特徴とする。
【００２２】
かかる架台ユニットによると、その全体の剛性が格段に向上する。すなわち、各梁材は、複数の脚フレームあるいは中間脚フレームに支持されているが、これらのうちの少なくとも一つの脚フレームの支持部に対して複数の接合具により接合することで、当該接合部が剛なものとなるので、結果として架台ユニット全体の剛性が格段に向上する。
【００２３】
請求項８に記載された発明は、請求項１乃至請求項７のいずれか一項に記載の架台ユニットであって、前記連結部および前記脚部の少なくとも一方に開口が設けられていることを特徴とする。
【００２４】
かかる架台ユニットによると、その全体の軽量化を図ることができる。また、例えば、床スラブと二重床の床パネルとの間に機器冷却用の空気を通風させる場合であれば、その空気抵抗が小さくなることから、冷却効率の向上を図ることができる。
【００２５】
請求項９に記載の発明は、請求項１乃至請求項８のいずれか一項に記載の架台ユニットであって、前記連結部の上端部および下端部の少なくとも一方にリブが形成されていることを特徴とする。
【００２６】
かかる架台ユニットによると、リブにより連結部の強度が格段に向上するので、結果として、架台ユニット全体の強度の向上を図ることができる。また、床スラブと二重床の床パネルとの間に機器冷却用の空気を通風させる場合には、所定の通風量を確保すべく脚フレームの連結部に開口を設ける場合があるが、かかる場合に、連結部にリブを設ければ、開口による強度低下を補うことができ、さらには、より大きな開口を設けることも可能となる。
【００２７】
請求項１０に記載の発明は、請求項１乃至請求項９のいずれか一項に記載の架台ユニットであって、前記両梁材の少なくとも一方の側方に配置される増設用の梁材と、当該増設用の梁材を支持する複数の増設用の脚フレームとをさらに備え、当該増設用の脚フレームは、前記床スラブ上に立設される脚部と、当該脚部から前記梁材に向かって張り出す張出部とを有し、当該張出部の先端が前記梁材または前記脚フレームに固定されていることを特徴とする。
【００２８】
かかる架台ユニットは、二本の梁材の少なくとも一方の側方にさらに他の梁材を増設したものである。すなわち、この架台ユニットは、少なくとも三本の梁材を備えることとなるので、幅広の重量装置類を架台ユニットに搭載する場合に、これらを安定的に載せ置くことができる。また、増設用の脚フレームおよび梁材を、二本の梁材からなる基本の架台ユニットの側方に設置する構成であるので、既設の架台ユニットにおいて、任意の位置の架台ユニットを幅広の重量装置類用の架台ユニットに改造する場合にあっても、他の部分に重量装置類等が設置されたままで、改造作業を行うことができる。
【００２９】
請求項１１に記載の発明は、請求項１乃至請求項１０のいずれか一項に記載の架台ユニットであって、前記各脚フレームは、アルミニウム合金製の鋳造品からなることを特徴とする。
【００３０】
かかる架台ユニットによると、強度の割に軽量で、腐食しにくいというアルミニウム合金のメリットを活かすことができる。また、軽量であるが故に、施工時の取り扱いが容易になる。さらに、鋳物品の特徴でもあるが、無駄のない最適な形状のデザインとしても、製造後の加工工数の少ない製品が得られる。
【００３１】
請求項１２に記載の発明は、請求項１乃至請求項１１のいずれか一項に記載の架台ユニットであって、前記各梁材は、アルミニウム合金製の押出形材からなることを特徴とする。
【００３２】
かかる架台ユニットによると、強度の割に軽量で、腐食しにくいというアルミニウム合金のメリットを活かすことができる。また、軽量であるが故に、施工時の取り扱いが容易になる。また、押出形材であるが故に、押出方向に等断面を有する梁材を容易に製作することができるので、例えば、接合溝等を容易に製作することができる。さらに、長さの異なる梁材を製作する場合には、押出形材を所定の長さで切断するだけでよいので、製作コストの削減を図ることができる。
【００３３】
請求項１３に記載の発明は、請求項１乃至請求項１２のいずれか一項に記載の架台ユニットを前記梁材の長手方向に複数連設して形成される二重床の骨組構造体であって、隣り合う架台ユニットの一方の前記両梁材の端部は、他方の前記両梁材の端部を支持する前記脚フレームに支持されており、かつ、一方の前記両梁材の端部と他方の前記両梁材の端部とが隣接していることを特徴とする。
【００３４】
かかる二重床の骨組構造体によると、複数の架台ユニットを連設した場合であっても、骨組構造体の全長に亘って切れ目なく梁材が配置されることになるので、組立精度の高い二重床を実現することができる。したがって、例えば、この梁材上に重量装置類等を搭載する場合であれば、その取付精度が非常に高いものとなる。
【００３５】
請求項１４に記載の発明は、請求項６に記載の架台ユニットを前記梁材の長手方向に複数連設して形成される二重床の骨組構造体であって、複数の前記架台ユニットのうち、壁際に配置された前記架台ユニットの壁側に位置する脚フレームの支持部は、その張出量が小さい側を前記壁側に向けて設置されることを特徴とする。
【００３６】
かかる二重床の骨組構造体によると、架台ユニットを壁際に設置する際に、架台ユニットの端部を壁面近くに位置させることができる。
【００３７】
請求項１５に記載の発明は、平行に配置された一対の梁材を脚部にレベル調節手段を有する門型の三つ以上の脚フレームで支持してなる二重床の架台ユニットを床スラブ上に設置する方法であって、前記三つ以上の脚フレームのうち、前記梁材の両端に位置する脚フレームを床スラブ上に立設し、当該両脚フレーム間に架設した一対の梁材の水平状態を前記両脚フレームのレベル調節手段により調節したうえで、当該両梁材の中間部分において、残りの前記脚フレームを前記床スラブ上に立設することを特徴とする。
【００３８】
かかる架台ユニットの設置方法によると、その設置作業が非常に効率のよいものとなる。すなわち、梁材の両端に位置する脚フレームの設置高さを調節して、これに架設される梁材を水平にすれば、梁材の中間部分の脚フレームは、この梁材に合わせるだけで他の脚フレームと同一の高さに設置されることとなる。
【００３９】
【発明の実施の形態】
本発明の実施の形態を、添付した図面を参照して詳細に説明する。なお、以下では、通信機械や電算機などが収容される通信機械室内に構築される二重床を例に、本発明の実施形態に係る二重床の骨組構造体およびこの骨組構造体を構成する架台ユニットを説明し、併せて、架台ユニットの設置方法を説明することとする。
【００４０】
［第一の実施形態］
図１に示すように、第一の実施形態に係る二重床の骨組構造体Ｈは、通信機械室に構築される二重床を構成するためのものであり、長手方向に連設された複数の架台ユニット１からなる。
【００４１】
ここで、通信機械室用の二重床について簡単に説明すると、この二重床は、図１に示すように、通信機器等の重量装置類が配置される複数の重量装置類設置領域Ｇと、隣り合う重量装置類設置領域Ｇ，Ｇ間に設けられた一般通路Ｉと、この一般通路Ｉと直交する主幹通路Ｍと、主幹通路Ｍに沿って設けられた空調機設置領域Ｅとを備えて構成されている。重量装置類設置領域Ｇおよび空調機設置領域Ｅは、それぞれ床スラブＳ上に配置された重量装置類用の骨組構造体Ｈあるいは空調機用の骨組構造体Ｈ’からなり、図示は省略するが、骨組構造体Ｈ上に重量装置類が搭載され、骨組構造体Ｈ’上に空調機が搭載される。
【００４２】
また、一般通路Ｉは、隣り合う骨組構造体Ｈ，Ｈ間に敷設された複数の床パネルＰからなり、主幹通路Ｍは、骨組構造体Ｈあるいは一般通路Ｉと骨組構造体Ｈ’との間に敷設された複数の床パネルＰ’からなる。
【００４３】
そして、空調機設置領域Ｅに備え付けられた空調機から床下空間に向けて調和空気が吹き出され、この調和空気を利用して重量装置類設置領域Ｇに設置された通信機械等が除熱されるようになっている。
【００４４】
なお、床パネルＰの構成、材質等は、特に限定されるものではないが、例えば、図９に示すように、アルミニウム合金製の押出形材を適宜な長さで切断することで形成される板状の本体部Ｐ１と、この本体部Ｐ１の両端に設けられる小口部材Ｐ２，Ｐ２とを備える床パネルＰを使用することができる。
【００４５】
（１．架台ユニット）
まず、第一の実施形態に係る二重床の骨組構造体Ｈの構成要素となる架台ユニット１について詳細に説明する。
【００４６】
架台ユニット１は、図２に示すように、所定の間隔をあけて平行に配設された二本の梁材２０，２０と、この梁材２０，２０の両端を支持する二つの脚フレーム１０，１０と、この脚フレーム１０，１０の間に配置された中間脚フレーム１０’とを備えている。なお、中間脚フレーム１０’は、本実施形態では、脚フレーム１０と同一の構成であるので、その詳細な説明は省略する。
【００４７】
また、本実施形態では、一対の脚フレーム１０，１０間に一つの中間脚フレーム１０’を配置したものを例示しているが、梁材２０上に作用する荷重条件等に応じて、さらに多くの中間脚フレーム１０’を配置してもよく、あるいは、中間脚フレーム１０’を省略してもよい。
【００４８】
また、以下の説明において、「内側」は、脚フレーム１０の連結部１０Ｂ側を意味し、「外側」は、床パネルＰ側を意味する。
【００４９】
（１−１．脚フレーム）
脚フレーム１０は、図２に示すように、床スラブＳ上に立設される一対の脚部１０Ａ，１０Ａと、この一対の脚部１０Ａ，１０Ａを連結する連結部１０Ｂと、脚部１０Ａ，１０Ａのそれぞれの上端に梁材２０の長手方向に沿って形成された平板状の支持部１０Ｃ，１０Ｃとを備えて構成されており、正面視門形を呈している。また、本実施形態では、脚部１０Ａの下端と床スラブＳとの間に脚フレーム１０の設置高さを調節するレベル調節手段５０が介設されている。
【００５０】
脚部１０Ａは、図３に示すように、底壁１１と、この底壁１１の後端縁に立設された脚フランジ１２と、底壁１１の側端縁に立設された側壁１３とを備えている。
【００５１】
底壁１１の略中央部には、後記するレベル調節手段５０の調節ボルト５２（図４参照）が挿通されるボルト孔１１ａが穿設されており、脚フランジ１２の内周縁には、リブ１２ａが形成されている。
【００５２】
また、図４に示すように、脚フランジ１２には、複数（本実施形態では二つ）の開口１２ｂが形成されている。このようにすると、脚フレーム１０の軽量化を図ることができ、さらには、前記した空調機から床下空間に向けて吹き出された調和空気を効率よく通風させることができるので、冷却効率の向上を図ることができる。
【００５３】
また、応力が集中する脚フランジ１２の上部（連結フランジ１４との境界部分）には、その他の部位よりも肉厚の厚い厚肉部１２ｃが形成されている。
【００５４】
側壁１３は、図５に示すように、側面視略逆Ｌ字状を呈している。また、側壁１３には、その下端から支持部１０Ｃの下面にまで至るリブ１３ａが形成されており、側壁１３の略中央部には、重量装置類のケーブル等を結束するラック（図示せず）を取り付けるための取付孔１３ｂが三つ形成されている。また、側壁１３の後端縁の上部に支持部１０Ｃの下面に沿って三角板状の補剛部１３ｃが形成されている。
【００５５】
連結部１０Ｂは、図４に示すように、一方の脚フランジ１２の厚肉部１２ｃから他方の脚フランジ１２の厚肉部１２ｃへ至る連結フランジ１４と、この連結フランジ１４の上端縁部に沿って形成された上リブ１５と、連結フランジ１４の下端縁部に沿って形成された下リブ１６とを備えている。
【００５６】
連結フランジ１４には、複数（本実施形態では六つ）の開口１４ａが形成されている。このようにすると、脚フレーム１０の軽量化を図ることができ、さらには、前記した空調機から床下空間に向けて吹き出された調和空気を効率よく通風させることができるので、冷却効率の向上を図ることができる。
【００５７】
また、応力が集中する連結フランジ１４の中央部には、その他の部位よりも肉厚の厚い厚肉部１４ｂが形成されている。
【００５８】
上リブ１５は、図３に示すように、連結フランジ１４の上端縁から前方および後方に向かって張り出しており、その側端は、支持部１０Ｃと繋がっている。また、下リブ１６は、連結フランジ１４の下端縁から前方に向かって張り出しており、その側端は、脚フランジ１２のリブ１２ａと繋がっている。
【００５９】
このように、連結フランジ１４に上リブ１５および下リブ１６を設けると、連結フランジ１４に設けた開口１４ａ（図４参照）による強度低下を補うことができる。
【００６０】
支持部１０Ｃは、図３に示すように、脚部１０Ａの脚フランジ１２よりも前方に張り出す第一領域１７と、後方に張り出す第二領域１８とを備えている。本実施形態では、第一領域１７の張出量が第二領域１８の張出量よりも大きくなっている。
【００６１】
第一領域１７は、脚部１０Ａの側壁１３の上端に沿って形成されており、その上面は平面になっている。また、第一領域１７の先端部分には、一対の第一取付孔１７ａ，１７ａが側壁１３の両側に穿設されており、その基端部には、一対の第二取付孔１７ｂ，１７ｂが側壁１３の両側に穿設されている。
【００６２】
第二領域１８は、側壁１３の補剛部１３ｃの上端に沿って形成されており、その上面は平面になっている。また、第二領域１８には、一対の第三取付孔１８ａが補剛部１３ｃの両側に穿設されている。
【００６３】
このように、第二領域１８の張出量を第一領域１７の張出量よりも小さくすると、図８に示すように、架台ユニット１を壁際に設置する際に、架台ユニット１の端部を壁面に近接させることができる。すなわち、壁際に位置する架台ユニット１を構成する脚フレーム１０，１０および中間脚フレーム１０’のうち、最も壁面に近い位置にある脚フレーム１０を、その支持部１０Ｃの第二領域１８（図３参照）が壁面に対峙するように配置すると、架台ユニット１の端部が壁面に近接することになり、その結果、通信機械室の隅々まで重量装置類設置領域Ｇ（図１参照）が形成されることになる。
【００６４】
また、脚フレーム１０は、アルミニウム合金製の鋳造品からなり、図３に示すように、脚部１０Ａ、連結部１０Ｂおよび支持部１０Ｃは、一体に成形されている。脚フレーム１０をアルミニウム合金製の鋳造品とすると、強度の割に軽量で、腐食しにくいというアルミニウム合金のメリットを活かすことができる。また、軽量であるが故に、施工時の取り扱いが容易になる。さらに、鋳造品の特徴でもあるが、脚フレーム１０を鋳造品とすると、これを無駄のない最適な形状のデザインとしても、製造後の加工工数が少ない。
【００６５】
また、脚フレーム１０は、その大きさが従来の四つ脚の架台１１０（図１９参照）の約半分であるため、その重量が小さく、その結果、設置作業の作業効率が格段に向上する。
また、本実施形態にあっては、脚フレーム１０の部分において、支持部１０Ｃの上に梁材２０が設置され、その上に重量装置類Ｄが設置されるので、脚フレーム１０の高さは、従来例のものよりも低くなり、その分さらに重量が小さくなる。
【００６６】
（１−２．レベル調節手段）
レベル調節手段５０は、図４に示すように、本実施形態では、床スラブＳ上にアンカーボルト５１ａにより固定されるベースプレート５１と、このベースプレート５１上に立設された調節ボルト５２と、脚フレーム１０の底壁１１を挟んだ状態で調節ボルト５２に螺合される下ナット５３および上ナット５４とを備えて構成されており、下ナット５３および上ナット５４の位置を適宜調節すると脚部１０Ａの高さが調節される。そして、左右のレベル調節手段５０，５０を適宜調節することで、支持部１０Ｃ，１０Ｃの上面が水平になる。
【００６７】
（１−３．梁材）
梁材２０は、図６に示すように、脚フレーム１０の支持部１０Ｃの上面に支持固定されるものであり、本実施形態では、床パネルＰの端部が載置される段部２２（以下、「載置部２２」という）を有する中空の本体部２１と、この本体部２１の上端縁から内側に向かって水平に張り出す固定部２３とを備えて構成されている。
【００６８】
本体部２１の内部には、載置部２２とおおよそ同じ高さに水平補強壁２１ａが形成されており、さらに、この水平補強壁２１ａの一端と第一接合溝２４とを連結する斜め補強壁２１ｂが形成されている。これにより、通常時の荷重のみならず地震時の荷重に対しても十分な耐力を確保することができる。
【００６９】
本体部２１の下部には、下側に開口する第一接合溝２４，２４が形成されており、本体部２１の側部であって、載置部２２の下方には、外側（床パネルＰ側）に開口する第二接合溝２５が形成されている。また、本体部２１の上端部には、外側に開口する第一パッキン溝２６が形成されており、載置部２２には、上側に開口する第二パッキン溝２７が形成されている。
【００７０】
固定部２３には、長手方向に所定の間隔をあけて複数の取付孔２３ａが穿設されており、この取付孔２３ａに重量装置類を固定するためのボルトＢ２が挿通される。
【００７１】
なお、図示は省略するが、固定部２３に接合溝を設ければ、この固定部２３の上面に搭載される重量装置類の規格寸法等が異なる場合であっても容易に対応することが可能となる。
【００７２】
第一接合溝２４には、脚フレーム１０の支持部１０Ｃと梁材２０とを接合するための接合具たるボルトＢ１が装填される。また、第一接合溝２４の内面には、ボルトＢ１の頭部に当接する突条２４ａが形成されており、この突条２４ａにより、ボルトＢ１の回動が防止される。
【００７３】
また、第一接合溝２４の内法は、ボルトＢ１の軸部に外挿される長方形の板ワッシャＷ１の短辺幅と等しくされている。なお、図示は省略するが、板ワッシャＷ１の下面には、第一接合溝２４の長手方向と直交する方向に刃部が形成されており、ボルトＢ１を締め付けると、当該刃部が第一接合溝２４に食い込み、ボルトＢ１の第一接合溝２４の長手方向への移動が阻止されるようになっている。
【００７４】
なお、第二接合溝２５には、後記する増設用の脚フレーム３０（図１２参照）を固定するためのボルトが装填されるが、その構成については、前記した第一接合溝２４と同様なので、詳細な説明は省略する。
【００７５】
第一パッキン溝２６には、床パネルＰの端面（小口部材Ｐ１）との間に介設される第一パッキン２６ａが取り付けられ、第二パッキン溝２７には、床パネルＰの裏面との間に介設される第二パッキン２７ａが取り付けられる。
【００７６】
また、梁材２０は、図６に示す断面を有するアルミニウム合金製の押出形材からなり、その長手方向（紙面垂直方向）に等断面を有する。すなわち、第一接合溝２４，２４、第二接合溝２５、第一パッキン溝２６および第二パッキン溝２７は、梁材２０の長手方向（紙面垂直方向）に連続している。
【００７７】
このように、第一接合溝２４等を梁材２０の長手方向に沿って連続して形成すると、ボルトＢ１を長手方向の任意の位置に移動させることができるので、脚フレーム１０に設置誤差等が生じた場合であっても、容易に対応することができる。また、二重床の構築作業時のみならず、当該二重床の供用後において、新たな中間脚フレーム等を追加する場合にも容易に対応することができる。すなわち、第一接合溝２４等が長手方向に連続しているが故に、長手方向の任意の位置にボルトを配置することができる。つまり、新たな中間脚フレーム等を追加する場合であっても、梁材２０に新たな取付孔を穿設する必要がない。
なお、図示は省略するが、第一接合溝２４等の開口部は、適宜な箇所において拡幅されている。すなわち、第一接合溝２４等の開口縁部２４ｃは、適宜切り欠かれており、ボルトＢ１の頭部や板ワッシャーＷ１はこの切り欠きより第一接合溝２４に挿入される。また、ボルトＢ１の頭部や板ワッシャＷ１は、事前に梁材２０の端部より挿入しておくこともできる。
【００７８】
このように、梁材２０をアルミニウム合金製の押出形材とすると、強度の割に軽量で、腐食しにくいというアルミニウム合金のメリットに加えて、架台ユニット１の組立や改造等が容易になるというメリットも期待できる。しかも、長さの異なる梁材２０を製作する場合には、押出形材を所定の長さで切断するだけでよいので、製作コストの削減を図ることができる。
【００７９】
以上のように構成された梁材２０は、図７（ａ）に示すように、その両端が脚フレーム１０，１０に支持固定され、その中央部分が中間脚フレーム１０’に支持固定される。
【００８０】
より詳細に説明すると、本実施形態では、図７（ｂ）に示すように、梁材２０の一端（図７（ａ）の左端）は、支持部１０Ｃの第二領域１８上に載置され、第一接合溝２４，２４のそれぞれに装填されたボルトＢ１，Ｂ１のそれぞれを、第三取付孔１８ａ，１８ａ（図３参照）に挿通するとともに、支持部１０Ｃの下側に突出したボルトＢ１をナットＮ１で締結することにより固定される。
【００８１】
また、図７（ｄ）に示すように、梁材２０の他端（図７（ａ）の右端）は、支持部１０Ｃの第一領域１７上に載置され、第一接合溝２４，２４のそれぞれに二個ずつ装着された合計四つのボルトＢ１を、第一取付孔１７ａ，１７ａおよび第二取付孔１７ｂ，１７ｂ（図３参照）に挿通するとともに、支持部１０Ｃの下側に突出したボルトＢ１をナットＮ１で締結することにより固定される。すなわち、梁材２０の他端は、その長手方向の二箇所において接合具たるボルトＢ１により脚フレーム１０の支持部１０Ｃに接合されることになるため、結果として支持部１０Ｃに対して剛に接合されることになる。
【００８２】
また、図７（ｃ）に示すように、梁材２０の中央部分は、中間脚フレーム１０’の支持部１０Ｃの全面に載置され、第一接合溝２４，２４のそれぞれに二個ずつ装着された合計四つのボルトＢ１を、第一領域１７の第一取付孔１７ａ，１７ａおよび第二領域１８の第三取付孔１８ａ，１８ａ（図３参照）に挿通するとともに、支持部１０Ｃの下側に突出したボルトＢ１をナットＮ１で締結することにより固定される。すなわち、梁材２０の中央部分は、その長手方向の二箇所においてボルトＢ１により脚フレーム１０の支持部１０Ｃに接合されることになるため、結果として支持部１０Ｃに対して剛に接合されることになる。
【００８３】
すなわち、梁材２０の一端と中央部分とが脚フレーム１０および中間脚フレーム１０’に対して剛に接合されていることから、架台ユニット１の側面にラーメン構造が形成されることになる。
【００８４】
このように、本実施形態に係る架台ユニット１は、その梁材２０が三つの脚フレーム１０（１０’）において支持される連続梁構造となっており、しかも、その側面がラーメン構造となっているので、その剛性が非常に高い。
【００８５】
なお、本実施形態では、梁材２０は、三つの脚フレーム１０（１０’）のうちの二つの脚フレーム１０（１０’）に対して剛に接合されているが、少なくとも一つの脚フレーム１０（１０’）に対して剛に接合されていれば、剛性の高い架台ユニット１を得ることができる。
【００８６】
（２．架台ユニットの設置方法）
次に、架台ユニットの設置方法について説明する。図１０に示すように、まず、梁材２０の両端を支持する脚フレーム１０，１０を床スラブＳ上に立設する。より詳細には、脚フレーム１０の脚部１０Ａにレベル調節手段５０を取り付けたうえで、床スラブＳ上の所定の位置において、ベースプレート５１の上側から床スラブＳにアンカーボルト５１ａを打ち込めばよい（図４参照）。
【００８７】
次に、左右のレベル調節手段５０，５０の下ナット５３および上ナット５４を適宜調節して脚フレーム１０の上面をおおよそ水平にするとともに、隣り合う脚フレーム１０，１０の上面の高さをおおよそ揃える。
【００８８】
続いて、脚フレーム１０，１０間に二本の梁材２０，２０を架け渡し、その第一接合溝２４に装填したボルトＢ１で支持部１０Ｃに固定する。より詳細には、図７（ｂ）に示すように、梁材２０の一端を第二領域１８に載置するとともに、その第一接合溝２４，２４（図６参照）に装填された複数のボルトＢ１のそれぞれをナットＮ１で締結し、同様に、図７（ｄ）に示すように、梁材２０の一端を第一領域１７に載置するとともに、その第一接合溝２４，２４（図６参照）に装填された複数のボルトＢ１のそれぞれをナットＮ１で締結すればよい。
【００８９】
次に、各脚フレーム１０において、レベル調節手段５０の下ナット５３および上ナット５４（図４参照）を調節して梁材２０，２０の上面（架台ユニット１の上面）を水平にする。このとき、各脚フレーム１０について二箇所ずつ、合わせて四箇所の高さ調節をするだけで、架台ユニット１の上面を水平にすることができるので、その設置作業が非常に効率のよいものとなる。
【００９０】
その後、梁材２０の中間部分において、中間脚フレーム１０’を床スラブＳ上に位置させ、その支持部１０Ｃを梁材２０の下面に当接させると共に、先ず梁材２０の下面に上記と同様に梁材２０の第一接合溝２４に装填した複数のボルトＢ１をナットＮ１で締結して固定し、その後レベル調節手段５０を調節してベースプレート５１の下面を床スラブＳに当接させ、アンカーボルト５１ａで固定する。すなわち、水平に架設された梁材２０，２０を基準にして中間脚フレーム１０’を設置すればよいので、作業効率が高い。
【００９１】
以上のように、本実施形態に係る架台ユニット１によれば、その設置作業が非常に効率のよいものとなる。
【００９２】
また、中間脚フレーム１０’は、梁材２０を架設した後でも設置することができるので、架台ユニット１の組立時のみならず、二重床の供用を開始した後であっても、中間脚フレーム１０’を容易に追加することができる。すなわち、架台ユニット１は、その補強、補修等が容易で、重量装置類の置き換え、変更が容易な構造であるといえる。
【００９３】
（３．骨組構造体）
次に、前記した架台ユニット１を構成要素とする二重床の骨組構造体Ｈについて、詳細に説明する。
【００９４】
図１に示すように、骨組構造体Ｈは、長手方向に連設された複数の架台ユニット１からなる。
【００９５】
なお、骨組構造体Ｈは、複数の架台ユニット１を長手方向に所定の間隔をあけて配置し、隣り合う架台ユニット１，１間を適宜な梁材等で連結することでも構築することができるが、より好適には、図７（ａ）（ｄ）に示すように、長手方向に隣り合う架台ユニット１，１’のうち、一方の架台ユニット１を構成する梁材２０の端部を、他方の架台ユニット１’の端部に位置する脚フレーム１０に支持固定し、一方の梁材２０の端部と他方の梁材２０’の端部とを脚フレーム１０上において連続させるとよい。すなわち、隣り合う架台ユニット１，１’のうち、一方の架台ユニット１の梁材２０の端部を、他方の架台ユニット１の梁材２０’の端部を支持する脚フレーム１０に支持させ、かつ、一方の梁材２０の端部と他方の前記梁材２０’の端部とを隣接させるとよい。なお、この場合には、一の架台ユニット１の端部に位置する脚フレーム１０は、隣接する他の架台ユニット１’の脚フレーム１０と供用されることになる。
【００９６】
このようにすると、骨組構造体Ｈの全長に亘って切れ目なく梁材２０が配置されることになるので、組立精度の高い二重床を実現することができる。したがって、例えば、この梁材２０上に重量装置類等を搭載する場合であれば、その取付精度が非常に高いものとなる。
【００９７】
また、図８に示すように、複数の架台ユニット１のうち、壁際に配置される架台ユニット１では、その壁側に位置する脚フレーム１０の向きをその他の脚フレーム１０および中間脚フレーム１０’と反対にするとよい。すなわち、壁面に位置する脚フレーム１０は、張出量が小さい第二領域１８（図３参照）側を壁側に向けて設置するとよい。
【００９８】
このようにすると、通信機械室の隅々まで重量装置類設置領域Ｇ（図１および図８参照）が形成されることになる。
【００９９】
［第二実施形態］
第二の実施形態に係る架台ユニットは、第一の実施形態に係る架台ユニット１よりも幅の広い重量装置類を安定的に搭載可能とするためのものであり、図１１に示すように、基本となる架台ユニット１（以下、「基本架台ユニット１」という）の側方に増設用の架台ユニット２（以下、「増設架台ユニット２」という）を設けたものである。
【０１００】
（１．増設架台ユニット）
増設架台ユニット２は、図１１に示すように、基本架台ユニット１の梁材２０の側方に配置される増設用の梁材４０（以下、「増設梁材４０」という）と、増設梁材４０を支持する複数の増設用の脚フレーム３０（以下、「増設脚フレーム３０」という）とを備えて構成されている。
【０１０１】
（１−１．増設脚フレーム）
増設脚フレーム３０は、図１２に示すように、床スラブＳ上に立設される脚部３０Ａと、この脚部３０Ａから基本架台ユニット１の梁材２０に向かって張り出す張出部３０Ｂと、脚部３０Ａの上端に形成された平板状の支持部３０Ｃとを備えており、正面視逆Ｌ字形状を呈している。また、本実施形態では、脚部３０Ａの下端と床スラブＳとの間にレベル調節手段５０が介設されている。
【０１０２】
脚部３０Ａは、底壁３１と、この底壁３１の後端縁に立設された脚フランジ３２と、底壁３１の側端縁に立設された側壁３３とを備えているが、これらの構成は、第一の実施形態に係る脚フレーム１０の脚部１０Ａの構成と同様であるので、その詳細な説明は省略する。
【０１０３】
張出部３０Ｂは、脚フランジ３２の厚肉部３２ｃから側方に延設された張出フランジ３４と、この張出フランジ３４の上端縁部に沿って形成された上リブ３５と、張出フランジ３４の下端縁部に沿って形成された下リブ３６と、上リブ３５の先端部の上面に取り付けられた断面Ｌ字形状の取付ブラケット３９とを備えている。
【０１０４】
張出フランジ３４には、複数（本実施形態では二つ）の開口３４ａが形成されている。このようにすると、増設脚フレーム３０の軽量化を図ることができ、さらには、前記した空調機から床下空間に向けて吹き出された調和空気を効率よく通風させることができるので、冷却効率の向上を図ることができる。
【０１０５】
上リブ３５の先端部には、図１３に示すように、一対の取付孔３５ａ，３５ａが穿設されており、取付ブラケット３９には、この取付孔３５ａ，３５ａに対応して一対の取付孔３９ａ，３９ａが穿設されている。そして、取付ブラケット３９は、上リブ３５の下側から挿通されたボルトＢ４をナットＮ４で締結することで固定される。
【０１０６】
また、支持部３０Ｃは、図１３に示すように、脚部３０Ａの脚フランジ３２（図１２参照）の前方に張り出す第一領域３７と、後方に張り出す第二領域３８とを備えているが、これらの構成は、第一の実施形態に係る脚フレーム１０の支持部１０Ｃと同様の構成であるので、その詳細な説明は省略する。
【０１０７】
（１−２．増設梁材）
増設梁材４０は、図１１および図１２に示すように、増設脚フレーム３０の支持部３０Ｃの上面に支持固定されるものであるが、前記した梁材２０の構成と同一であるので、詳細な説明は省略する。
【０１０８】
（２．増設架台ユニットの設置方法）
次に、増設架台ユニット２の設置方法について説明する。
【０１０９】
まず、図１３に示すように、基本架台ユニット１の梁材２０の側面に取付ブラケット３９を取り付ける。より詳細には、梁材２０の第二接合溝２５（図６参照）に装填したボルトＢ３，Ｂ３を取付ブラケット３９の取付孔３９ｂ，３９ｂに挿通させ、ナットＮ３で締結すればよい。なお、増設架台ユニット２を設置するに際しては、基本架台ユニット１の梁材２０に対して、加工を施す必要がない。すなわち、前記したように、梁材２０の第二接合溝２５が長手方向に連続していることから、新たなボルト孔を穿設しなくてもよい。
【０１１０】
次に、基本架台ユニット１の脚フレーム１０あるいは中間脚フレーム１０’の側方の床スラブＳ上に増設用脚フレーム３０を立設する。より詳細には、図１２に示すように、増設脚フレーム３０の脚部３０Ａにレベル調節手段５０を取り付けたうえで、床スラブＳ上の所定の位置において、ベースプレート５１の上側から床スラブＳにアンカーボルト５１ａを打ち込んで固定すればよい。
【０１１１】
次に、レベル調節手段５０の下ナット５３および上ナット５４を適宜調節して上リブ３５の上面を取付ブラケット３９の下面に当接させ、さらに、取付ブラケット３９を適宜スライドさせて、その取付孔３９ａ，３９ａを上リブ３５の取付孔３５ａ，３５ａに合わせたうえで、これらにボルトＢ４を挿通し、ナットＮ４で締結する。
【０１１２】
このようにして、必要な数だけ増設脚フレーム３０を設置したら、図１２に示すように、その支持部３０Ｃ上に増設梁材４０を載置し、その第一接合溝４４に装填したボルトをナットで締結して支持部３０Ｃに固定する。増設脚フレーム３０と増設梁材４０との接合方法は、前記した脚フレーム１０と梁材２０との接合方法と同様であるので、その詳細な説明は省略する。
【０１１３】
このように、増設脚フレーム３０および増設梁材４０は、基本架台ユニット１の側方に設置され、かつ、基本架台ユニット１の梁材２０に設けてある第二接合溝２５を利用して固定されるので、増設作業時に基本架台ユニット１を解体する必要はなく、さらには、基本架台ユニット１に加工を施す必要もない。すなわち、基本架台ユニット１を幅広の重量装置類用のものに改造する場合に、改造しない他の基本架台ユニット１に重量装置類等が搭載された状態であっても、これらを搭載した状態で改造作業を行うことができる。
【０１１４】
なお、本実施形態では、基本架台ユニット１の脚フレーム１０の側方に増設脚フレーム３０を設置したが、増設脚フレーム３０の設置位置はこれに限定されることはなく、図示は省略するが、脚フレーム１０と中間脚フレーム１０’との中間部分の側方に設置しても差し支えない。
【０１１５】
また、本実施形態では、図１１に示すように、基本架台ユニット１の片側にのみ増設架台ユニット２を設置したが、基本架台ユニット１の両側に増設架台ユニット２を設置しても勿論よい。
【０１１６】
［脚フレームの第一の変形例］
前記した各実施形態では、基本架台ユニット１の脚フレーム１０（中間脚フレーム１０’）は、その脚部１０Ａ、連結部１０Ｂおよび支持部１０Ｃが一体に成形されたものであったが、これに限定されることはなく、適宜変更しても差し支えない。
【０１１７】
例えば、図１４（ａ）（ｂ）に示す脚フレーム６０のように、別々に成形された一対のフレーム構成体６１，６１と、これらを補強する補強部材６３とを組み合わせたものであってもよい。
【０１１８】
フレーム構成体６１は、床スラブＳ上に立設される脚部６０Ａと、この脚部６０Ａからもう一方のフレーム構成体６１に向かって張り出す張出部６２と、脚部６０Ａの上端に形成された平板状の支持部６０Ｃとを備えており、正面視逆Ｌ字形状を呈している。また、本実施形態では、脚部６０Ａの下端と床スラブＳとの間にレベル調節手段５０が介設されている。
【０１１９】
なお、脚部６０Ａおよび支持部６０Ｃは、前記した脚フレーム１０の脚部１０Ａおよび支持部１０Ｃと同様の構成であるので、詳細な説明は省略する。
【０１２０】
張出部６２は、図１５に示すように、脚部６０Ａの上部から側方に延設された張出フランジ６２ａと、この張出フランジ６２ａの上端縁部に沿って形成された上リブ６２ｂ（図１４（ａ）参照）と、張出フランジ６２ａの下端縁部に沿って形成された下リブ６２ｃと、上リブ６２ｂの先端縁に形成された突合部６２ｄとを備えている。
【０１２１】
また、図１４（ａ）に示すように、上リブ６２ｂの基端部および先端部には、それぞれ第一取付孔６２ｆ，６２ｆおよび第二取付孔６２ｇ，６２ｇが穿設されており、突合部６２ｄの略中央には、ボルト孔６２ｅが穿設されている。
【０１２２】
補強部材６３は、図１４（ａ）に示すように、本実施形態では、断面略Ｈ形のアルミニウム合金製の押出形材からなり、フレーム構成体６１の第一取付孔６２ｆおよび第二取付孔６２ｇに対応して複数のボルト孔６３ａが穿設されている。なお、補強部材６３は、荷重条件等に応じて適宜省略しても差し支えない。
【０１２３】
そして、フレーム構成体６１，６１の突合部６２ｄ，６２ｄ同士を突き合わせたうえで、ボルト孔６２ｅに挿通したボルトＢ５をナットＮ５で締結するとともに、張出部６２，６２の上方から補強部材６３を覆い被せ、複数のボルトＢ６をそれぞれ対応する第一取付孔６２ｆおよび第二取付孔６２ｇに挿通し、これをナット（図示せず）で締結すると、フレーム構成体６１，６１が一体になって脚フレーム６０が構成される（図１４（ｂ）参照）。すなわち、一対の脚部６０Ａ，６０Ａを連結する連結部６０Ｂは、フレーム構成体６１，６１の張出部６２，６２と補強部材６３とから構成されることになる。
【０１２４】
このような構成にすると、脚フレーム６０の幅寸法が大きい場合であっても、容易に鋳造することが可能となり、また、小分けにして運搬・保管することも可能となる。
【０１２５】
［脚フレームの第二の変形例］
また、図１４（ａ）（ｂ）に示す脚フレーム６０は、フレーム構成体６１，６１の突合部６２ｄ，６２ｄ同士を突き合わせたうえで、これらを連結したが、図１６に示す脚フレーム７０のように、一方のフレーム構成体７１の張出部７２と他方のフレーム構成体の張出部７２とを補助連結部材７３で連結したものであってもよい。すなわち、連結部７０Ｂの中間部分を補助連結部材７３で形成したものであってもよい。この場合、一対の脚部７０Ａ，７０Ａを連結する連結部７０Ｂは、張出部７２，７２とこれらを連結する補助連結部材７３とで構成されることになる。
【０１２６】
補助連結部材７３には、例えば、図１７に示すように、フレーム構成体７１の張出部７２の先端に外挿可能な断面矩形の中空押出形材を使用することができる。
【０１２７】
このように、連結部７０Ｂの一部を別体とすると、補助連結部材７３の寸法を変更するだけで、脚部７０Ａ，７０Ａの間隔を容易に変更することが可能となるすなわち、脚フレーム７０の幅寸法が異なる場合であっても、フレーム構成体７１の構成を変更する必要がなく、補助連結部材７３の寸法を調節するだけで対応できるので、生産効率が高く、その結果、コストの削減を図ることが可能となる。
【０１２８】
なお、図示は省略するが、連結部７０Ｂの全体を別体としても差し支えない。また、支持部７０Ｃについても、脚部７０Ａと一体に成形せずに、別体としても差し支えない。
【０１２９】
［脚フレームの第三の変形例］
前記した各実施形態の脚フレーム１０等は、左右一対の脚部１０Ａ，１０Ａを備えるものであったが（図３参照）、図１８に示す脚フレーム８０のように、左右の脚部８０Ａ，８０Ａ間に補助脚部８０Ａ’を備え、全体として略ｍ字状を呈するようなものであってもよい。
【０１３０】
なお、脚部８０Ａ、連結部８０Ｂおよび支持部８０Ｃの構成は、第一の実施形態に係る脚フレーム１０の脚部１０Ａ、連結部１０Ｂおよび支持部１０Ｃ（図３参照）の構成とそれぞれ同様であるので、その詳細な説明は省略する。また、補助脚部８０Ａ’の構成は、おおよそ脚部８０Ａと同様の構成であるので、その詳細な説明は省略する。
【０１３１】
また、支持部８０Ｃ，８０Ｃの中間に梁材２０’を支持する支持部８０Ｃ’が形成されているが、この支持部８０Ｃ’の構成も、前記した脚フレーム１０の支持部１０Ｃ（図３参照）の構成とおおよそ同様であるので詳細な説明は省略する。
【０１３２】
このような脚フレーム８０は、三箇所において床スラブＳへ固定されることになるため、その取付強度が高く、結果として、架台ユニット全体の強度も向上することとなる。
【０１３３】
また、このような構成の脚フレーム８０は、その脚部８０Ａ，８０Ａの間隔が広い場合や、三本の梁材２０，２０，２０’を支持する場合に特に有効である。すなわち、支持部８０Ｃ’の下方に補助脚部８０Ａ’を設けておけば、支持部８０Ｃ’に作用する荷重を安定的に支持することができる。
【０１３４】
なお、本実施形態では、補助脚部８０Ａ’が一体に成形されているが、補助脚部８０Ａ’を別部材としても差し支えない。このようにすると、二重床の供用を開始した後であっても、その補強を容易に行うことができる。
【０１３５】
なお、この脚フレーム８０は、はじめから幅広の重量装置類等が設置されることが判っている場合に特に有効に利用できるが、前記した基本架台ユニット１を改造してその幅を広げる場合にも、前記した増設脚フレーム３０に替えて、この脚フレーム８０を使用してもよい。
【０１３６】
【発明の効果】
本発明に係る架台ユニットおよび架台ユニットの設置方法によると、その設置作業が非常に効率のよいものとなる。すなわち、二重床の骨組構造体を容易にかつ迅速に構築することが可能となる。また、二重床の供用を開始した後であっても、容易に架台ユニットを改造することができる。
【図面の簡単な説明】
【図１】本発明に係る二重床の骨組構造体により構築された二重床の斜視図である。
【図２】第一の実施形態に係る架台ユニットの斜視図である。
【図３】脚フレームの斜視図であって、一部を破断させた図である。
【図４】脚フレームの正面図である。
【図５】脚フレームの側面図である。
【図６】梁材の断面図である。
【図７】（ａ）は架台ユニットの側面図、（ｂ）は（ａ）の左端部分を拡大した図、（ｃ）は（ａ）の中央部分を拡大した図、（ｄ）は（ａ）の右端部分を拡大した図である。
【図８】壁際に設置された架台ユニットを示す側面図である。
【図９】床パネルの分解斜視図である。
【図１０】架台ユニットの設置方法を説明する分解斜視図である。
【図１１】第二の実施形態に係る架台ユニットの斜視図である。
【図１２】増設用の脚フレームの正面図である。
【図１３】増設用の脚フレームの分解斜視図である。
【図１４】（ａ）は脚フレームの第一の変形例を示す分解斜視図、（ｂ）は組み立てた状態を示す斜視図である。
【図１５】図１４に示す脚フレームの正面図である。
【図１６】脚フレームの第二の変形例を示す正面図である。
【図１７】図１６のＸ−Ｘ断面図である。
【図１８】脚フレームの第三の変形例を示す正面図である。
【図１９】従来の骨組構造体を示す斜視図である。
【符号の説明】
Ｈ      骨組構造体
１      架台ユニット
１０    脚フレーム
１０Ａ  脚部
１０Ｂ  連結部
１０Ｃ  支持部
１０’  中間脚フレーム
２０    梁材
３０    増設脚フレーム
４０    増設梁材
５０    レベル調節手段
Ｐ        床パネル
Ｓ        床スラブ
【図１】
2004278185.tif 000003
【図２】
2004278185.tif 000004
【図３】
2004278185.tif 000005
【図４】
2004278185.tif 000006
【図５】
2004278185.tif 000007
【図６】
2004278185.tif 000008
【図７】
2004278185.tif 000009
【図８】
2004278185.tif 000010
【図９】
2004278185.tif 000011
【図１０】
2004278185.tif 000012
【図１１】
2004278185.tif 000013
【図１２】
2004278185.tif 000014
【図１３】
2004278185.tif 000015
【図１４】
2004278185.tif 000016
【図１５】
2004278185.tif 000017
【図１６】
2004278185.tif 000018
【図１７】
2004278185.tif 000019
【図１８】
2004278185.tif 000020
【図１９】
2004278185.tif 000021